(57)【要約】【課題】映像信号を有しないメディアを再生する際、音声信号に同期してユーザの関心を高めることが可能な映像を表示可能な映像／音声出力装置の提供を目的とする。 【解決手段】光ディスク等の映像と音声が記録されたメディアから映像や音声を出力する映像／音声出力手段と、上記映像／音声出力手段からの映像を表示する表示パネルと、上記表示パネルに、１フレームで画面に表示されるキャラクタの映像が複数つなぎ合わさって所定の動作を表現するグラフィックパターン映像を表示する映像出力手段とを有する映像／音声出力装置において、上記メディアに記録された曲調に合わせて、上記映像出力手段が表示するグラフィックパターン映像を変化させるグラフィックパターン変化手段とを有する。【選択図】図１
2007225383.tif 000002
【特許請求の範囲】
【請求項１】
光ディスク等の映像と音声が記録されたメディアから映像信号と音声信号を読み取る映像／音声読取装置と、
上記映像／音声読取装置が読み取る音声信号を基に増幅等の信号処理を行う音声信号処理回路と、
上記音声信号処理回路が信号処理を行った音声信号を基に音声を出力するスピーカと、  上記映像／音声読取装置が読み取る映像信号を基に映像を表示するためのＲＧＢ信号を生成する映像信号処理回路と、
１フレームで画面に表示されるキャラクタの映像をつなぎ合わせることで所定の動作を行うグラフィックパターンを構成するグラフィックパターン映像データを記録する第一の記録部を有し、上記第一の記録部が記録するＯＳＤ映像データを基にＯＳＤ映像を生成するためのＯＳＤ映像信号を生成するＯＳＤ部と、
上記映像信号処理回路から出力されるＲＧＢ信号と、上記ＯＳＤ部から出力されるＯＳＤ映像信号とを合成して合成映像信号を生成する合成回路と、
上記合成回路から出力される合成映像信号を基に映像を表示する表示パネルと、
上記映像／音声読取装置と、上記音声信号処理回路と、上記映像信号処理回路と、上記ＯＳＤ部と、上記合成回路とを制御する制御部とから構成されるカーナビゲーション装置において、
上記音声信号処理回路は、音声信号からある１秒間での特定の周波数の数をカウントする周波数カウント回路を有し、
上記ＯＳＤ部は、
上記第一の記録部が記録するグラフィックパターン映像データから所定の１フレームでの映像データを選択するＯＳＤ映像データ選択部と、
上記制御部からの指示に基づいて上記ＯＳＤ映像データ選択部に上記グラフィックパターン映像から所定の映像データを選択させるＯＳＤ映像データ選択信号を出力するマイコン部とを有し、
上記制御部は、上記周波数カウント回路がカウントした所定の周波数の数に基づいて、上記グラフィックパターン映像データが表示するキャラクタを選択しつつ、上記ＯＳＤ映像データ選択部に上記キャラクタの所定の動作を表現するグラフィックパターン映像データから複数の１フレームでの映像データを選択してつなぎ合わせて上記キャラクタが行う所定の動作のテンポを変化させるために、上記周波数カウント回路がカウントする所定の周波数の数と、上記キャラクタと、上記キャラクタが表現するグラフィックパターンとを対応させた周波数／グラフィックパターン対応テーブルを記録する第二の記録部を有することを特徴とするカーナビゲーション装置。
【請求項２】
光ディスク等の映像と音声が記録されたメディアから映像や音声を出力する映像／音声出力手段と、
上記映像／音声出力手段からの映像を表示する表示パネルと、
上記表示パネルに、１フレームで画面に表示されるキャラクタの映像が複数つなぎ合わさって所定の動作を表現するグラフィックパターン映像を表示する映像出力手段とを有する映像／音声出力装置において、
上記メディアに記録された曲調に合わせて、上記映像出力手段が表示するグラフィックパターン映像を変化させるグラフィックパターン変化手段とを有することを特徴とする映像／音声出力装置。
【請求項３】
上記グラフィックパターン変化手段は、上記グラフィックパターン映像から所定のフレームを選択してつなぎ合わせることにより同グラフィックパターン映像のテンポを変化させることを特徴とする請求項１または請求項２のいずれかに記載の映像／音声出力装置。
【請求項４】
上記グラフィックパターン変化手段は、上記メディアが記録する音声信号を所定のサンプリングスケールにおいて特定の周波数をカウントする周波数カウント手段と、
上記周波数カウント手段がカウントした周波数の数と、上記グラフィックパターン映像のテンポを対応させて変化させる周波数／グラフィックパターン対応手段とを有することを特徴とする請求項２または請求項３のいずれかに記載の映像／音声出力装置。
【請求項５】
上記周波数カウント手段は、上記音声信号のある一秒間での特定の周波数の数をカウントすることを特徴とする請求項４に記載の映像／音声出力装置。
【請求項６】
上記周波数カウント手段は、バスドラムの音声等の特定の低い周波数をカウントすることを特徴とする請求項４に記載の映像／音声出力装置。
【請求項７】
上記映像出力手段は、上記複数のキャラクタを表現するグラフィックパターン映像を出力し、
上記グラフィックパターン変化手段は、上記メディアに記録された曲調に合わせてグラフィックパターン映像の上記キャラクタを変化させることを特徴とする上記請求項２〜請求項６のいずれかに記載の映像出力。
【発明の詳細な説明】
【技術分野】
【０００１】
本発明は、メディアからの映像と音声を表示する映像／音声出力装置または、カーナビゲーション装置に関し、特に、画面上に上記メディアからの映像と異なる映像を表示する映像／音声出力装置に関する。 
【背景技術】
【０００２】
車に搭載するカーナビゲーションや、ＤＶＤ一体型ＴＶ等の映像／音声出力装置は、ＤＶＤ等のメディアから出力された映像信号と音声信号を表示パネルやスピーカから出力させる。しかしながら上記した映像／音声出力装置で映像を伴わないデータを再生させる場合は、表示パネルには映像が何も表示されないか固定画面のみが表示され視覚効果が乏しかった。
【０００３】
このため、ユーザに視覚効果を狙った面白味を増すことを目的として、オンスクリーン表示が入力ソースに同期して変動する画像表示装置が知られている（例えば、特許文献１参照。）。
【０００４】
また、テレビ等の画面上に簡易動画をＯＳＤ表示して、動的なオンスクリーン表示を行うオンスクリーン表示装置が知られている（例えば、特許文献２参照。）。
【特許文献１】特開平１０−１９８３２４
【特許文献２】特開平７−１８４１１９
【発明の開示】
【発明が解決しようとする課題】
【０００５】
上述した特許文献１の発明は、次のような課題があった。つまり、音声信号に同期してＯＳＤ映像を拡大／縮小させたり、キャラクタを上下に震動させるだけであるため何度も視聴する内にユーザが映像に慣れてきて、ユーザの関心を失わせていた。
【０００６】
また、上述した特許文献２の発明は、次のような課題があった。つまり、表示パネルに表示されるＯＳＤ映像は音声と同期しておらず一連の動作を繰り返すだけなので、音声とＯＳＤ映像との整合性がとれず、同ＯＳＤ映像を視聴するユーザの関心を引き付けるものではなかった。
【０００７】
本発明は、上記課題かんがみてなされたもので、映像信号を有しないメディアを再生する際、音声信号に同期してユーザの関心を高めることが可能な映像を表示可能な映像／音声出力装置の提供を目的とする。 
【課題を解決するための手段】
【０００８】
上記課題を解決するために、本発明の請求項１にかかる発明では、光ディスク等の映像と音声が記録されたメディアから映像信号と音声信号を読み取る映像／音声読取装置と、上記映像／音声読取装置が読み取る音声信号を基に増幅等の信号処理を行う音声信号処理回路と、上記音声信号処理回路が信号処理を行った音声信号を基に音声を出力するスピーカと、上記映像／音声読取装置が読み取る映像信号を基に映像を表示するためのＲＧＢ信号を生成する映像信号処理回路と、１フレームで画面に表示されるキャラクタの映像をつなぎ合わせることで所定の動作を行うグラフィックパターンを構成するグラフィックパターン映像データを記録する第一の記録部を有し、上記第一の記録部が記録するＯＳＤ映像データを基にＯＳＤ映像を生成するためのＯＳＤ映像信号を生成するＯＳＤ部と、上記映像信号処理回路から出力されるＲＧＢ信号と、上記ＯＳＤ部から出力されるＯＳＤ映像信号とを合成して合成映像信号を生成する合成回路と、上記合成回路から出力される合成映像信号を基に映像を表示する表示パネルと、上記映像／音声読取装置と、上記音声信号処理回路と、上記映像信号処理回路と、上記ＯＳＤ部と、上記合成回路とを制御する制御部とから構成されるカーナビゲーション装置において、
上記音声信号処理回路は、音声信号からある１秒間での特定の周波数の数をカウントする周波数カウント回路を有し、上記ＯＳＤ部は、上記第一の記録部が記録するグラフィックパターン映像データから所定の１フレームでの映像データを選択するＯＳＤ映像データ選択部と、上記制御部からの指示に基づいて上記ＯＳＤ映像データ選択部に上記グラフィックパターン映像から所定の映像データを選択させるＯＳＤ映像データ選択信号を出力するマイコン部とを有し、上記制御部は、上記周波数カウント回路がカウントした所定の周波数の数に基づいて、上記グラフィックパターン映像データが表示するキャラクタを選択しつつ、上記ＯＳＤ映像データ選択部に上記キャラクタの所定の動作を表現するグラフィックパターン映像データから複数の１フレームでの映像データを選択してつなぎ合わせて上記キャラクタが行う所定の動作のテンポを変化させるために、上記周波数カウント回路がカウントする所定の周波数の数と、上記キャラクタと、上記キャラクタが表現するグラフィックパターンとを対応させた周波数／グラフィックパターン対応テーブルを記録する第二の記録部を有する構成としてある。
【０００９】
上記のように構成した請求項１にかかる発明は、映像／音声読取装置と、音声信号処理回路と、スピーカと、映像信号処理回路と、ＯＳＤ部と、合成回路と、表示パネルと、制御部とを有するカーナビゲーション装置である。
【００１０】
上記音声信号処理回路に入力された音声信号は、周波数カウント回路によりある１秒間での特定の周波数の数をカウントされる。また、上記ＯＳＤ部は、ＯＳＤ映像データ選択部と、マイコン部とを有する構成である。ＯＳＤ映像データ選択部は、上記第一の記録部が記録するグラフィックパターン映像データから所定の１フレームでの映像データを選択する。マイコン部は、上記制御部からの指示に基づいて上記ＯＳＤ映像データ選択部に上記グラフィックパターン映像から所定の映像データを選択させるＯＳＤ映像データ選択信号を出力する。
【００１１】
制御部は、周波数／グラフィックパターン対応テーブルを記録する第二の記録部を有する構成である。周波数／グラフィックパターン対応テーブルは、上記周波数カウント回路がカウントする所定の周波数の数と、上記キャラクタと、上記キャラクタが表現するグラフィックパターンとを対応させるものである。制御部は、上記周波数カウント回路がカウントした周波数のカウント数と、上記周波数／グラフィックパターン対応テーブルを比較し、ＯＳＤ映像データ選択回路に、上記グラフィックパターン映像データが表示するキャラクタと、同キャラクタの所定の動作を表現するグラフィックパターンを選択させる。このとき、ＯＳＤ映像データ選択回路は、映像データから複数の１フレームでの映像データを選択してつなぎ合わせることで、上記キャラクタが行う所定の動作のテンポを変化させる。
【００１２】
また、上記目的を達成するために、請求項２にかかる発明は、光ディスク等の映像と音声が記録されたメディアから映像や音声を出力する映像／音声出力手段と、上記映像／音声出力手段からの映像を表示する表示パネルと、上記表示パネルに、１フレームで画面に表示されるキャラクタの映像が複数つなぎ合わさって所定の動作を表現するグラフィックパターン映像を表示する映像出力手段とを有する映像／音声出力装置において、上記メディアに記録された曲調に合わせて、上記映像出力手段が表示するグラフィックパターン映像を変化させるグラフィックパターン変化手段とを有する構成としてある。
【００１３】
上記映像／音声出力装置は、カーナビゲーションやＤＶＤビデオ等の映像信号や音声信号が記録されたメディアを再生して出力するものであればよい。上記メディアに記録された曲調に合わせて、グラフィックパターン変化手段は、上記映像出力手段が表示するグラフィックパターン映像を変化させる。
【００１４】
そして、請求項３にかかる発明では、請求項２に記載の映像／音声出力手段において、上記グラフィックパターン変化手段は、上記グラフィックパターン映像から所定のフレームを選択してつなぎ合わせることにより同グラフィックパターン映像のテンポを変化させる構成としてある。
【００１５】
上記のように構成した請求項３にかかる発明において、グラフィックパターン変化手段は、上記グラフィックパターン映像のテンポを変化させるために、上記グラフィックパターン映像から所定のフレームを選択してつなぎ合わせる。
【００１６】
さらに、請求項４にかかる発明では、請求項２または請求項３のいずれかに記載の映像／音声出力装置において、上記グラフィックパターン変化手段は、上記メディアが記録する音声信号を所定のサンプリングスケールにおいて特定の周波数をカウントする周波数カウント手段と、上記周波数カウント手段がカウントした周波数の数と、上記グラフィックパターン映像のテンポを対応させて変化させる周波数／グラフィックパターン対応手段とを有する構成である。
【００１７】
上記のように構成した請求項４にかかる発明において、上記グラフィックパターン変化手段は、周波数カウント手段を有する。周波数カウント手段は、上記メディアが記録する音声信号を所定のサンプリングスケールにおいて特定の周波数をカウントする。また、周波数／グラフィックパターン対応手段は、上記周波数カウント手段がカウントした周波数の数と、上記グラフィックパターン映像のテンポを対応させるものであって、上記グラフィックパターン対応手段は、上記周波数／グラフィックパターンを比較することで、グラフィックパターンを変化させる。 
【００１８】
さらに、請求項５にかかる発明は、請求項４に記載の映像／音声出力装置において、上記周波数カウント手段は、上記音声信号のある一秒間での特定の周波数の数をカウントする構成である。
【００１９】
上記のように構成した請求項５にかかる発明において、上記周波数カウント手段は、上記音声信号のある一秒間での特定の周波数の数をカウントする。
【００２０】
さらに、請求項６にかかる発明は、請求項４に記載の映像／音声出力装置において、上記周波数カウント手段は、バスドラムの音声等の特定の低い周波数をカウントする構成である。
【００２１】
上記のように構成した請求項６の発明は、上記周波数カウント手段は、バスドラムの音声等の特定の低い周波数のみをカウントして判断材料とする。
【００２２】
さらに、請求項７にかかる発明は、請求項２〜請求項６のいずれかに記載の映像出力において、上記映像出力手段は、上記複数のキャラクタを表現するグラフィックパターン映像を出力し、上記グラフィックパターン変化手段は、上記メディアに記録された曲調に合わせてグラフィックパターン映像の上記キャラクタを変化させる構成としてある。
【００２３】
上記のように構成した請求項７の発明は、上記グラフィックパターン変化手段は、上記メディアに記録された曲調に基づいて、上記映像出力手段が有するグラフィックパターン映像から所定のキャラクタを選択する。
【発明の効果】
【００２４】
以上説明したように本発明は、映像信号を有しないメディアを再生する際、音声信号に同期してユーザの関心を高めることが可能な映像を表示可能な映像／音声出力装置を提供することができる。
また、 請求項２の発明によれば、音声信号に同期して視聴するユーザの関心を引く映像を表示することができる映像／音声出力装置を提供することができる。
また、請求項３にかかる発明によれば、曲調に合わせて映像のテンポを変化させることができるので、ユーザが視聴して楽しい映像を表示することができる。
また、請求項４にかかる発明によれば、音声信号の周波数を基に映像と音声を同期させるので、ユーザが関心を高める映像を表示することができる。
また、請求項５にかかる発明によれば、１秒間での所定の周波数の数を映像の変化にカウントさせるので変化に飛んだ映像を表示させることができる。
また、請求項６にかかる発明によれば、バスドラムの音声等の低い周波数帯に反応するので、音声と映像が同期した映像を表示することができる。
また、請求項７にかかる発明によれば、複数のキャラクタを表示するので、視聴するユーザを飽きさせない映像を表示することができる。
さらに請求項１のような、より具体的な構成において、上述した請求項２〜請求項７の各発明と同様の作用を奏することはいうまでもない。
【発明を実施するための最良の形態】
【００２５】
ここでは、映像／音声出力装置の具体的な実施形態として以下にカーナビゲーション装置１０について、下記の順序に従って本発明の実施形態を説明する。上記した映像／音声出力装置としては具体的な実施形態であるカーナビゲーション装置１０に限られず、ＤＶＤ再生装置や、ＤＶＤ再生装置付テレビジョン装置のように、ＤＶＤ等のメディアから映像信号と音声信号を読み取り、上記読み取った映像信号と音声信号から映像と音声を出力するものであれば本発明に適合する。
（１）カーナビゲーション装置の構成
（２）本発明の構成
（３）変形例
（４）まとめ
【００２６】
（１）カーナビゲーション装置の構造
図１は本発明の一実施形態であるカーナビゲーション装置１０のブロック構成図である。同図より、カーナビゲーション装置１０は、映像／音声読取装置１と、音声信号処理回路２と、スピーカ２ａと、映像信号処理回路３と、ＯＳＤ部７と、合成回路４と、表示パネル５と、制御部６と、制御部６を外部から遠隔操作するリモコン８とを有する構成である。同図より、カーナビゲーション装置１０を構成する各要素は、バス６ａにて接続され、リモコン８からの操作信号を制御部６が受信し、上記操作信号に基づいて制御部６が映像／音声出力装置１０を制御することでカーナビゲーション装置１０の機能を実行する。以下に各構成要素の機能を説明する。
【００２７】
映像／音声読取装置１は、光ディスク等の映像と音声が記録されたメディア９から映像信号と音声信号を読み取る。上記したＤＶＤ等の光ディスクは、映像信号と音声信号を圧縮して記録している。映像／音声読取装置１は上記メディア９から圧縮された映像信号と音声信号を読み取った後、上記圧縮を拡張する。
【００２８】
音声信号処理回路２は、上記カーナビゲーション装置１０が読み取る音声信号を基に増幅等の信号処理を行う。音声信号処理回路２は、リモコン８からの指示に基づいて映像／音声読取装置１が読み取った音声信号に増幅等の信号処理を施し、スピーカ２ａから音声として出力する。
【００２９】
映像信号処理回路３は、映像／音声読取装置１が読み取る映像信号を基に映像を表示するためのＲＧＢ信号を生成する。映像信号処理回路３が生成するＲＧＢ信号は、１フレームでの画面を構成するＲ（レッド）、Ｇ（グリーン）、Ｂ（ブルー）の各階調に対応した信号を生成するためのもので、上記各階調を組み合わせることで１フレームでのカラー映像を表現する。
【００３０】
ＯＳＤ部７は、１フレームで画面に表示されるキャラクタの映像をつなぎ合わせることで所定の動作を行うグラフィックパターンを構成するグラフィックパターン映像データを記録する第一の記録部１５を有し、上記第一の記録部が記録するＯＳＤ映像データを基にＯＳＤ映像を生成するためのＯＳＤ映像信号を生成する。図２は、ＯＳＤ部７が生成するＯＳＤ映像の一例である。同図より、ＯＳＤ部７が生成するＯＳＤ映像は、図示するＡからＯまでのキャラクタの静止映像を１フレームとして、上記１フレームの映像をつなぎ合わせて表示することによりキャラクタが所定の動作をおこなうグラフィックパターンを表現する。
【００３１】
また、上記したＯＳＤ映像のグラフィックパターンは、上記静止映像を間引いて表示することで、映像と映像との間を飛ばして表示させるとキャラクタの動作のテンポが早くなったかのように表現することができる。具体的には、映像ＡからＧまでの一連の映像のＢとＤとを間引いて残りのＡ、Ｃ、Ｅ、Ｆ、Ｇを選択して表示させた場合は、キャラクタの動作はＡからＧまでを表示させた場合に比べて動作のテンポが速くなったかのようなグラフィックパターンを表示することができる。
【００３２】
合成回路４は、映像信号処理回路３から出力されるＲＧＢ信号と、ＯＳＤ部７から出力されるＯＳＤ映像信号とを合成して合成映像信号を生成する。上記生成される合成映像信号にて、表示パネル５上で映像信号処理回路３が生成した映像の一部に上記ＯＳＤ映像を重ねるように表示することができる。また、映像信号を有しない音声信号のみのデータでは、表示パネル５にＯＳＤ映像のみを表示させることも可能である。
【００３３】
表示パネル５は、合成回路４から出力される合成映像信号を基に映像を表示する。表示パネル５はＲＧＢの各階調を表示する画素がマトリクス状に配置しており、上記合成映像信号を基に上記各画素を駆動することで所定の映像を表示する。
【００３４】
（２）本発明の構成
上記構成のカーナビゲーション装置１０では、音声信号のみを記録するメディアを再生させた場合は、上述したように映像信号処理回路３からの映像は表示されずＯＳＤ映像のみを表示させることが可能である。このため、音声信号のみを記録するメディアを再生させる場合は、再生させるメディアの音声信号に同期して上記ＯＳＤ映像を表示させることで、ユーザに視聴的な関心を引き起こす映像を表示させることが可能となる。
【００３５】
上記目的を達成するために、音声信号処理回路２は、音声信号からある１秒間での特定の周波数の数をカウントする周波数カウント回路１１を有する構成である。周波数カウント回路１１は、メディア９から読み取った音声信号を所定の周期でサンプリングし、上記サンプリングした周波数帯から特定の周波数以上が１秒間での何回出力されるかをカウントする。
【００３６】
図３は周波数カウント回路がサンプリングした音声信号を表す図である。同図より、例えば周波数カウント回路１１は、１５０ＨＺ以上の周波数が１秒間に何回現れるかをカウントする。このため周波数カウント回路１１は図の音声信号の波形から１５０ＨＺ帯の周波数をバンドパスフィルターにて取り出し、１秒間で１５０ＨＺ帯の周波数が何回出力されたかをカウントする。
【００３７】
また、ＯＳＤ部７は、ＯＳＤ映像データ選択部１４と、マイコン部１３とを有する構成である。ＯＳＤ映像データ選択部１４は、第一の記録部１５が記録するグラフィックパターン映像データから所定の１フレームでの映像データを選択する。マイコン部１３は、制御部６からの指示に基づいてＯＳＤ映像データ選択部１４に上記グラフィックパターン映像から所定の映像データを選択させるＯＳＤ映像データ選択信号を出力する。具体的には、第一の記録部１５が記録するグラフィックパターン映像データは、図２を用いて説明した１フレームごとの静止映像をつなぎ合わせて所定の動的映像を表現する映像と同様のものであって、上記グラフィックパターン映像上で所定の動作を行うキャラクタは３種類用意されている。
【００３８】
図４はグラフィックパターン上で動作するキャラクタの図である。同図よりキャラクタは比較的細身の人物を表現しているキャラクタＡと、比較的横幅のある大柄の人物を表現しているキャラクタＢと、帽子を被った人物を表現しているキャラクタＣとを表示させる。上記したキャラクタＡ、Ｂ、Ｃのキャラクタは図２で説明したように１フレームの静止映像が複数枚連なって表示することにより一連のグラフィックパターンを表示パネル５に表示する。
【００３９】
マイコン部１３は、ＯＳＤ映像データ選択部１４に上記制御部６からの指示に基づいて、表示パネル５で表示するグラフィックパターン上で上記した３種類のキャラクタからどのキャラクタに対応する映像を表示させるかを選択し、上記選択したキャラクタにどのようなテンポで動作させるかの指示を出す。このため、制御部６は上記マイコン部１３がＯＳＤ映像データ選択部１４にどのグラフィックパターン映像を選択するかを指示するために、周波数／グラフィックパターン対応テーブルを記録する第二の記録部１２を有する構成である。
【００４０】
図５は第二の制御部６が記録する周波数／グラフィックパターン対応テーブルを表す図である。同図より、周波数／グラフィックパターン対応テーブルは、右端の列に周波数カウント回路１１がカウントする周波数の数であるカウント数Ｎを、右から二段目の列に上記した３種類のキャラクタを表すキャラクタＣを、左端の列にＯＳＤ映像データ選択部１４が選択するグラフィックパターン映像の選択数であるテンポＴをそれぞれ対応ずけて記録している。
【００４１】
例えば周波数カウント回路１１が音声信号から１５０ＨＺの周波数帯をサンプリングし１秒間のカウント数Ｎが１２０カウントでああった場合、制御部６は上記した周波数／グラフィックパターン対応テーブルよりカウント数Ｎに対応するキャラクタＣとテンポＴを読み取る。図５より１２０であるカウント数Ｎに対応するキャラクタＣとテンポＴは、それぞれキャラクタＣとテンポＣが１２である。このため、制御部６は、ＯＳＤ映像データ選択部１４にキャラクタがＣであって、例えば１６０枚の静止映像から１２０枚の映像を選択する。選択されたグラフィックパターン映像は１６０枚の静止映像から所定の４０枚が間引かれ表示されるため、キャラクタＣの所定の動作のテンポが少し速くなったかのうように表示パネル５に表示される。
【００４２】
図６はグラフィックパターンを表示する際に制御部６が実行するフローチャートの図である。同図より、制御部６はリモコン８からグラフィック映像の表示の指示を受け入れると（ステップＳ１００）、周波数カウント回路１１に音声信号から所定の周波数をサンプリングしてカウントするよう指示を出す（ステップＳ１１０）。次に、第二の記録部１２から周波数／グラフィックパターン対応テーブルをＲＡＭに記録する（ステップＳ１２０）。
【００４３】
次に、制御部６は周波数カウント回路１１から所定の周波数のカウント数Ｎを受け入れ（ステップＳ１３０）、ＲＡＭに記録した周波数／グラフィックパターン対応テーブルと上記受け入れたカウント数Ｎを比較する（ステップＳ１３０）。制御部６は上記比較に基づいてＯＳＤ映像データ選択部１４に所定のグラフィック映像を選択するよう指示を出す（ステップＳ１５０）。さらに、制御部６は上記選択したグラフィックパターンを合成回路４に出力するよう指示を出す（ステップＳ１６０）。上記指示をうけて合成回路４は上記グラフィック映像を表示パネル５に出力する。上記グラフィックパターンの表示はリモコン８からグラフィックパターンの終了を意味する所定の指示が出力されるまで行われ、リモコン８から上記指示が出力されると制御部６は、上記指示を受け入れＯＳＤ映像データ選択部１４にグラフィックパターン映像を合成回路４に出力するのを終了するよう指示を出す（ステップＳ１７０）これによりＯＳＤ映像データ選択部１４は合成回路４にグラフィックパターン映像を出力するのを終了する。
【００４４】
上記構成により、映像／音声出力装置１０は再生するメディア９からの音声信号に同期して表示パネル５に表示するＯＳＤ映像を変化させる。このため、例えば高周波音域が多いロック調の音楽が記録されたメディア９を再生させた場合では、表示パネル５にキャラクタＡが表示されるとともに、上記キャラクタＡは表示パネル５上でテンポの速い動きで所定の動作を行う。逆に、高周波音域が少ない牧歌的な音楽が記録されたメディア９を再生させた場合では、表示パネル５上にキャラクタＣが表示され、上記キャラクタＣは表示パネル上で比較的ゆっくりとしたテンポで所定の動作を行う。これにより表示パネルを視聴するユーザに視覚的な関心を高めさせることが可能となる。
【００４５】
（３）変形例
上記した構成のカーナビゲーション装置１０は、バスドラムの音声等の特定の低い周波数に対応して映像を表示させることも可能である。これは、曲のテンポを構成しているバスドラム等のドラムのビート音にのみ同期して表示パネル５にグラフィックパターンを表示させることで、表示パネル５に表示されるグラフィックパターンの曲とのテンポの相性をより一層高めることが可能である。
【００４６】
上記目的を達成する方法としては、周波数カウント回路１１がカウントする周波数帯をバスドラムの音声に対応した周波数帯に対応させればよい。これにより、周波数カウント回路１１は、バスドラムの音に対応する周波数帯のみをカウントし、上記カウントした周波数帯をグラフィックパターンの変化に対応付けることが可能となる。
【００４７】
（４）まとめ
光ディスク等の映像と音声が記録されたメディアから映像や音声を出力する映像／音声出力手段と、上記映像／音声出力手段からの映像を表示する表示パネルと、上記表示パネルに、１フレームで画面に表示されるキャラクタの映像が複数つなぎ合わさって所定の動作を表現するグラフィックパターン映像を表示する映像出力手段とを有する映像／音声出力装置において、上記メディアに記録された曲調に合わせて、上記映像出力手段が表示するグラフィックパターン映像を変化させるグラフィックパターン変化手段とを有する。
【００４８】
また、請求項３にかかる発明では、請求項２に記載の映像／音声出力手段において、上記グラフィックパターン変化手段は、上記グラフィックパターン映像から所定のフレームを選択してつなぎ合わせることにより同グラフィックパターン映像のテンポを変化させる構成としてある。
【００４９】
上記のように構成した請求項３にかかる発明において、グラフィックパターン変化手段は、上記グラフィックパターン映像のテンポを変化させるために、上記グラフィックパターン映像から所定のフレームを選択してつなぎ合わせ、曲調に合わせて映像のテンポを変化させることができるので、ユーザが視聴して楽しい映像を表示することができる。
【００５０】
さらに、請求項４にかかる発明では、請求項２または請求項３のいずれかに記載の映像／音声出力装置において、上記グラフィックパターン変化手段は、上記メディアが記録する音声信号を所定のサンプリングスケールにおいて特定の周波数をカウントする周波数カウント手段と、上記周波数カウント手段がカウントした周波数の数と、上記グラフィックパターン映像のテンポを対応させて変化させる周波数／グラフィックパターン対応手段とを有する構成である。
【００５１】
上記のように構成した請求項４にかかる発明において、上記グラフィックパターン変化手段は、周波数カウント手段を有する。周波数カウント手段は、上記メディアが記録する音声信号を所定のサンプリングスケールにおいて特定の周波数をカウントする。また、周波数／グラフィックパターン対応手段は、上記周波数カウント手段がカウントした周波数の数と、上記グラフィックパターン映像のテンポを対応させるものであって、上記グラフィックパターン対応手段は、上記周波数／グラフィックパターンを比較することで、グラフィックパターンを変化させるので、ユーザが関心を高める映像を表示することができる。
【００５２】
さらに、請求項５にかかる発明は、請求項４に記載の映像／音声出力装置において、上記周波数カウント手段は、上記音声信号のある一秒間での特定の周波数の数をカウントする構成である。
【００５３】
上記のように構成した請求項５にかかる発明において、上記周波数カウント手段は、上記音声信号のある一秒間での特定の周波数の数をカウントするので変化に飛んだ映像を表示させることができる。
【００５４】
さらに、請求項６にかかる発明は、請求項４に記載の映像／音声出力装置において、上記周波数カウント手段は、バスドラムの音声等の特定の低い周波数をカウントする構成である。
【００５５】
上記のように構成した請求項６の発明は、上記周波数カウント手段は、バスドラムの音声等の特定の低い周波数のみをカウントして判断材料とするので、音声と映像が同期した映像を表示することができる。
【００５６】
さらに、請求項７にかかる発明は、請求項２〜請求項６のいずれかに記載の映像出力において、上記映像出力手段は、上記複数のキャラクタを表現するグラフィックパターン映像を出力し、上記グラフィックパターン変化手段は、上記メディアに記録された曲調に合わせてグラフィックパターン映像の上記キャラクタを変化させる構成としてある。
【００５７】
上記のように構成した請求項７の発明は、上記グラフィックパターン変化手段は、上記メディアに記録された曲調に基づいて、上記映像出力手段が有するグラフィックパターン映像から所定のキャラクタを選択するので、視聴するユーザを飽きさせない映像を表示することができる。
【００５８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５９】
【図１】映像／音声出力装置のブロック構成図である。
【図２】ＯＳＤ部が生成するＯＳＤ映像である。
【図３】周波数カウント回路がサンプリングした音声信号を表す図である。
【図４】グラフィックパターン上で動作するキャラクタの図である。
【図５】周波数／グラフィックパターン対応テーブルを表す図である
【図６】制御部が実行するフローチャートである。
【符号の説明】
【００６０】
１…映像／音声読取装置
２…音声信号処理回路
２ａ…スピーカ
３…映像信号処理回路
４…合成回路
５…表示パネル
６…制御部
７…ＯＳＤ部
８…リモコン
９…メディア
１０…カーナビゲーション装置
１１…周波数カウント回路
１２…第二の記録部
１３…マイコン部
１４…ＯＳＤ映像データ選択部
１５…第一の記録部
【図１】
2007225383.tif 000003
【図２】
2007225383.tif 000004
【図３】
2007225383.tif 000005
【図４】
2007225383.tif 000006
【図５】
2007225383.tif 000007
【図６】
2007225383.tif 000008